【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
バッテリー電力経路管理回路であって、
バッテリー入力ノードと出力ノードとの間に接続される第１のスイッチと、
充電器入力ノードと前記出力ノードとの間に接続される第２のスイッチと、
前記バッテリー入力ノード上の電圧が前記充電器入力ノード上の電圧より大きいときに前記バッテリー入力ノードを前記出力ノードに接続するように、前記充電器入力ノード上の前記電圧が前記バッテリー入力ノード上の前記電圧より大きいときに前記充電器入力ノードを前記出力ノードに接続するように、前記第１及び第２のスイッチを制御するように、前記出力ノードに接続される第１の制御回路と、
前記充電器入力ノードと前記バッテリー入力ノードとに印加される電圧に従って第１及び第２のトランジスタスイッチのそれぞれのバックゲートを独立に制御するための第２の制御回路であって、前記バッテリー入力ノード上の電圧が前記出力ノード上の電圧よりも大きい場合に前記バッテリー入力ノード上の電圧を前記第１のトランジスタスイッチのバックゲートに印加するための回路要素と、前記充電器入力ノード上の電圧が前記出力ノード上の電圧よりも大きい場合に前記充電器入力ノード上の電圧を前記第２のトランジスタスイッチのバックゲートに印加するための回路要素とを含む、前記第２の制御回路と、
を含み、
前記第１の制御回路が、約ゼロボルトまで達するバッテリー電圧範囲にわたって、前記バッテリー入力ノードに接続されるバッテリーの充電及び保護を可能にするように前記第１及び第２のスイッチを制御するように構成される、回路。
【請求項２】
請求項１に記載の回路であって、
前記第１及び第２のスイッチが第１及び第２のＭＯＳトランジスタである、回路。
【請求項３】
請求項２に記載の回路であって、
前記第１及び第２のＭＯＳトランジスタのそれぞれのゲートを制御するための回路要素を更に含み、前記充電器入力ノード上の電圧がない場合に前記バッテリーが前記ＭＯＳトランジスタの１つにより前記出力ノードに接続される、回路。
【請求項４】
請求項３に記載の回路であって、
前記第２の制御回路が、前記充電器入力ノードと前記バッテリー入力ノードとに印加される電圧に従って前記第１及び第２のＭＯＳトランジスタのそれぞれのバックゲートを制御する、回路。
【請求項５】
請求項１に記載の回路であって、
前記バッテリー入力ノード上の前記電圧が所定の閾値を下回り、且つ、充電器の存在が前記第１の制御回路により検出される場合に、前記第１の制御回路が前記充電器入力ノードから前記出力ノードへの電力経路を確立し、前記バッテリー入力ノード上の前記電圧が前記所定の閾値を下回り、且つ、充電器の存在が検出されない場合に、前記第１の制御回路が前記バッテリー入力上の全ての負荷をディスエーブルする、回路。
【請求項６】
請求項１に記載の回路であって、
前記充電器入力ノード上の電圧が前記バッテリー入力ノード上の電圧より大きいときに前記充電器入力ノードを前記バッテリー入力ノードに接続するための回路要素を更に含む、回路。
【請求項７】
請求項１に記載の回路であって、
減退発生の場合に前記出力ノードに電圧を提供する電圧ストレージデバイスを更に含む、回路。
【請求項８】
請求項７に記載の回路であって、
前記電圧ストレージデバイスがキャパシタである、回路。
【請求項９】
バッテリー電力経路管理回路であって、
バッテリー入力ノード上の電圧が充電器入力ノード上の電圧より大きいときに前記バッテリー入力ノードと出力ノードとの間の第１の電力経路を確立し、前記充電器入力ノード上の前記電圧が前記バッテリー入力ノード上の電圧より大きいときに前記充電器入力ノードと前記出力ノードとの間の第２の電力経路を確立する、第１の制御回路と、
前記バッテリー入力ノードと前記充電器入力ノードとに印加される電圧に従って前記第１及び第２のトランジスタスイッチのそれぞれのバックゲートを独立に制御するための第２の制御回路であって、前記バッテリー入力ノード上の電圧が前記出力ノード上の電圧よりも大きい場合に前記バッテリー入力ノード上の電圧を前記第１のトランジスタスイッチのバックゲートに印加するための回路要素と、前記充電器入力ノード上の電圧が前記出力ノード上の電圧よりも大きい場合に前記第２のトランジスタスイッチのバックゲートに前記充電器入力ノード上の電圧を印加するための回路要素とを含む、前記第２の制御回路と、
を含み、
前記第１の制御回路が、約ゼロボルトまで達するバッテリー電圧範囲にわたって、前記バッテリー入力ノードに接続されるバッテリーの充電及び保護を可能にするように、電力を前記出力ノードへ提供するように前記第２の電力経路を制御するように構成される、回路。
【請求項１０】
請求項９に記載の回路であって、
前記第１の電力経路が第１のＰＭＯＳトランジスタスイッチを含み、前記第２の電力経路が第２のＰＭＯＳトランジスタスイッチを含む、回路
【請求項１１】
請求項１０に記載の回路であって、
前記第１の制御回路が、前記第１及び第２のＰＭＯＳトランジスタスイッチのそれぞれのゲートを制御するための回路要素を含み、前記充電器入力ノード上の電圧がない場合に前記バッテリーが前記第１のＰＭＯＳトランジスタスイッチにより前記出力ノードに接続される、回路。
【請求項１２】
請求項９に記載の回路であって、
前記充電器入力ノード上の電圧が前記バッテリー入力ノード上の電圧より大きいときに前記充電器入力ノードを前記バッテリー入力ノードに接続するための回路要素を更に含む、回路。
【請求項１３】
請求項９に記載の回路であって、
減退発生の場合に電圧を前記出力ノードに提供する電圧ストレージデバイスを更に含む、回路。
【請求項１４】
請求項１３に記載の回路であって、
前記電圧ストレージデバイスがキャパシタである、回路。
【請求項１５】
バッテリー入力ノードと充電器入力ノードと出力ノードとの間の電力経路を制御するための方法であって、
前記バッテリー入力ノード上の電圧が前記充電器入力ノード上の電圧より大きいときに前記バッテリー入力ノードと前記出力ノードとの間に第１の電力経路を確立することと、
前記充電器入力ノードに接続される充電器が、約ゼロボルトまで達するバッテリー電圧範囲にわたって、制御回路要素に電力を供給するために、電力を前記出力ノードに提供できるように、前記充電器入力ノードと前記出力ノードとの間に第２の電力経路を確立することと、
前記バッテリー入力ノードと前記充電器入力ノードとに印加される電圧に従って第１及び第２のトランジスタスイッチのそれぞれのバックゲートを独立に制御することであって、前記バッテリー入力ノード上の電圧が前記出力ノード上の電圧よりも大きい場合に前記バッテリー入力ノード上の電圧を前記第１のトランジスタスイッチのバックゲートに印加することと、前記充電器入力ノード上の電圧が前記出力ノード上の電圧よりも大きい場合に前記充電器入力ノード上の電圧を前記第２のトランジスタスイッチのバックゲートに印加することとを含む、前記制御することと、
を含む、方法。
【請求項１６】
請求項１５に記載の方法であって、
前記第１の電力経路を確立することが、前記バッテリー入力ノードと前記出力ノードとの間に第１の低抵抗スイッチを提供することを含み、前記第２の電力経路を確立することが、前記充電器入力ノードと前記出力ノードとの間に第２の低抵抗スイッチを提供することを含む、方法。
【請求項１７】
請求項１５に記載の方法であって、
前記充電器入力ノード上の前記電圧が前記バッテリー入力ノード上の前記電圧より大きいときに前記充電器入力ノードと前記バッテリー入力ノードとの間に第３の電力経路を確立することを更に含む、方法。
【請求項１８】
請求項１５に記載の方法であって、
減退発生の場合に前記出力ノードに電圧を提供する電圧ストレージデバイスを提供することを更に含む、方法。